(57)【要約】      （修正有）【課題】交換レンズへの装着時に差込フィルタホルダ本体外部からフィルタの回転操作が可能であり、パーツ点数を減らしながら防塵防滴機能を有する差込フィルタホルダを提供する。【解決手段】差込フィルタホルダは、フィルタホルダ本体１０にはフィルタホルダ外部と内部を隔離し、かつ操作リング２０を囲むような袋構造を有する凹部を形成するとともに、前記フィルタホルダ本体１０の内部に配置され、前記操作リング２０と同軸で、操作リング２０を外部から回転操作した際、前記操作リング２０の回転に伴って一体回転する連結ギア３０を備え、前記凹部の光軸に対して垂直な面のうち、一面は前記操作リング２０に嵌合する前記連結ギア３０の軸部を挿通支持する軸穴部を有し、前記連結ギア軸部にＯリング３１が設けられ、前記連結ギア３０と噛合することでフィルタ６１を回転させるフィルタギア５０を有する。【選択図】図１
2018031956.tif 000002
【特許請求の範囲】
【請求項１】
レンズ鏡筒へ差込により挿脱可能なフィルタホルダ本体を有し、
前記フィルタホルダ本体を前記レンズ鏡筒へ差込んだ際、操作リングを回転させることで、前記フィルタホルダ本体内部に配置されたフィルタ本体に駆動力を伝達し、前記フィルタ本体を回転させる差込フィルタホルダにおいて、
前記フィルタホルダ本体に、前記フィルタホルダ外部と内部を隔離し、かつ前記操作リングを囲むような袋構造を有する凹部を形成し、
前記フィルタホルダ本体内部に配置され、前記操作リングと同軸で前記フィルタホルダ本体外部から前記操作リングを回転操作した際、前記操作リングの回転に伴って一体回転する連結ギアを有し、
前記凹部の光軸に対して垂直な面のうち、一面は前記操作リングに嵌合する前記連結ギアの軸部を挿通支持する軸穴部を有し、
前記連結ギア軸部はＯリングが設けられ、
前記連結ギアと噛合することで前記フィルタ本体を回転させるフィルタギアを有することを特徴とする差込フィルタホルダ。
【請求項２】
レンズ鏡筒へ差込により挿脱可能なフィルタホルダ本体を有し、
前記フィルタホルダ本体を前記レンズ鏡筒へ差込んだ際、操作リングを回転させることで、前記フィルタホルダ本体内部に配置されたフィルタ本体に駆動力を伝達し、前記フィルタ本体を回転させる差込フィルタホルダにおいて、
前記フィルタホルダ本体に、前記フィルタホルダ外部と内部を隔離し、かつ前記操作リングを囲むような袋構造を有する凹部を形成し、
前記フィルタホルダ本体内部に配置され、前記操作リングと同軸で前記フィルタホルダ本体外部から前記操作リングを回転操作した際、前記操作リングの回転に伴って一体回転する連結ギアを有し、
前記凹部の光軸に対して垂直な面のうち、一面は前記操作リングに嵌合する前記連結ギアの軸部を挿通支持する軸穴部を有し、
前記連結ギア軸部はＯリングが設けられ、
前記凹部の光軸に対して垂直なもう一方の一面は、前記操作リングと同軸のビスにて前記連結ギアと係合し、
前記連結ギアと噛合することで前記フィルタ本体を回転させるフィルタギアを有することを特徴とする差込フィルタホルダ。
【請求項３】
前記操作リングと前記連結ギアは、直接締結されていることを特徴とする請求項１に記載の差込フィルタホルダ。
【請求項４】
前記操作リングの摺動端面の形状は、非円形状であることを特徴とする請求項１又は請求項３に記載の差込フィルタホルダ。
【請求項５】
前記フィルタホルダ本体内部に配置され、前記連結ギアと前記フィルタギアとに噛合し、前記連結ギアの回転に伴って従動回転することで前記フィルタギアに動力を伝達するアイドルギアを有することを特徴とする請求項１乃至請求項４のいずれかに記載の差込フィルタホルダ。
【発明の詳細な説明】
【技術分野】
【０００１】
本発明は、交換レンズなどの光学装置に使用する挿脱可能な差込フィルタに関する。
【背景技術】
【０００２】
従来、交換レンズに挿脱する差込フィルタホルダ本体において、交換レンズに装着時は差込フィルタホルダ本体の外部から回転操作可能な操作リングを回転させることで、差込フィルタホルダ本体内部に駆動力が伝達されて、差込フィルタホルダ内にセットされているフィルタを回転させるものがある。
【０００３】
近年、交換レンズやカメラ本体は、外部から内部への水や埃の侵入を防ぐ防塵防滴構造であることが多い。このような交換レンズに用いられる差込フィルタホルダも同様に、防塵防滴構造であることが求められる。
【０００４】
特許文献１に記載された差込フィルタホルダは、フィルタホルダ外観に穴を空けることで、フィルタホルダ内部に侵入してきた水を溜めることなく水をフィルタホルダから抜くことが出来る。また、フィルタホルダから水を抜くことが出来るので、回転伝達部材の軸部から毛細管現象による水の侵入を阻止することが可能なフィルタホルダを開示している。
【０００５】
特許文献２に記載された差込フィルタホルダは、フィルタホルダ本体に外部と内部を区画する凹部を作成し、フィルタホルダ外部の凹部に操作リングを配置し、フィルタホルダ内部に操作リングと同軸に連結ギアを配置することで防塵防滴機能を得ながらフィルタユニットを連動回転させるフィルタホルダを開示している。
【先行技術文献】
【特許文献】
【０００６】
【特許文献１】特開２０００−２４９８８８号公報
【特許文献２】特開２０１１−１４１３１２号公報
【発明の概要】
【発明が解決しようとする課題】
【０００７】
しかしながら、特許文献１に記載のフィルタホルダは、フィルタホルダへの侵入する水の量が排水量を上回った場合、回転伝達部材の軸部により毛細管現象によってフィルタホルダ内部へ水が浸入してしまうという課題を有する。
【０００８】
また、特許文献２に記載のフィルタホルダは、フィルタホルダの一対の隔壁への軸部材の挿通部にＯリングを設けることで、防塵防滴機能を得ているが、フィルタホルダを構成するパーツ点数が多いという課題を有する。
【０００９】
本発明はこのような状況に鑑みてなされたものであり、交換レンズへの装着時に差込フィルタホルダ本体外部からフィルタの回転操作が可能であり、パーツ点数を減らしながら防塵防滴機能を有する差込フィルタホルダを提供することを目的とする。
【課題を解決するための手段】
【００１０】
上記課題を解決するための手段である第１の発明は、差込フィルタホルダであって、レンズ鏡筒へ差込により挿脱可能なフィルタホルダ本体を有し、前記フィルタホルダ本体を前記レンズ鏡筒へ差込んだ際、操作リングを回転させることで、前記フィルタホルダ本体内部に配置されたフィルタ本体に駆動力を伝達し、前記フィルタ本体を回転させる差込フィルタホルダにおいて、前記フィルタホルダ本体に、前記フィルタホルダ外部と内部を隔離し、かつ前記操作リングを囲むような袋構造を有する凹部を形成し、前記フィルタホルダ本体内部に配置され、前記操作リングと同軸で前記フィルタホルダ本体外部から前記操作リングを回転操作した際、前記操作リングの回転に伴って一体回転する連結ギアを有し、前記凹部の光軸に対して垂直な面のうち、一面は前記操作リングに嵌合する前記連結ギアの軸部を挿通支持する軸穴部を有し、前記連結ギア軸部はＯリングが設けられ、前記連結ギアと噛合することで前記フィルタ本体を回転させるフィルタギアを有することを特徴とする差込フィルタホルダ。
【００１１】
また、上述の課題を解決するための手段である第２の発明は、差込フィルタホルダであって、レンズ鏡筒へ差込により挿脱可能なフィルタホルダ本体を有し、前記フィルタホルダ本体を前記レンズ鏡筒へ差込んだ際、操作リングを回転させることで、前記フィルタホルダ本体内部に配置されたフィルタ本体に駆動力を伝達し、前記フィルタ本体を回転させる差込フィルタホルダにおいて、前記フィルタホルダ本体に、前記フィルタホルダ外部と内部を隔離し、かつ前記操作リングを囲むような袋構造を有する凹部を形成し、前記フィルタホルダ本体内部に配置され、前記操作リングと同軸で前記フィルタホルダ本体外部から前記操作リングを回転操作した際、前記操作リングの回転に伴って一体回転する連結ギアを有し、前記凹部の光軸に対して垂直な面のうち、一面は前記操作リングに嵌合する前記連結ギアの軸部を挿通支持する軸穴部を有し、前記連結ギア軸部はＯリングが設けられ、前記凹部の光軸に対して垂直なもう一方の一面は、前記操作リングと同軸のビスにて前記連結ギアと係合し、前記連結ギアと噛合することで前記フィルタ本体を回転させるフィルタギアを有することを特徴とする差込フィルタホルダ。
【００１２】
また、上述の課題を解決するための手段である第３の発明は、第１の発明に記載の差込フィルタホルダであって、前記操作リングと前記連結ギアは、直接締結されていることを特徴とする差込フィルタホルダ。
【００１３】
また、上述の課題を解決するための手段である第４の発明は、第１の発明に記載の差込フィルタホルダであって、前記操作リングの摺動端面の形状は、非円形状であることを特徴とする差込フィルタホルダ。
【００１４】
また、上述の課題を解決するための手段である第５の発明は、第１の発明又は第４の発明のいずれかである差込フィルタホルダであり、さらに前記フィルタホルダ本体内部に配置され、前記連結ギアと前記フィルタギアとに噛合し、前記連結ギアの回転に伴って従動回転することで前記フィルタギアに動力を伝達するアイドルギアを有することを特徴とする差込フィルタホルダ。
【発明の効果】
【００１５】
本発明によれば、交換レンズへの装着時に差込フィルタホルダ本体外部からフィルタの回転操作が可能であり、パーツ点数を減らしながら防塵防滴機能を有する差込フィルタホルダを提供することができる。
【図面の簡単な説明】
【００１６】
【図１】本発明の実施例１に係る分解斜視図
【図２】本発明の実施例１に係る断面図
【図３】本発明の実施例２に係る断面図
【発明を実施するための形態】
【実施例１】
【００１７】
以下、添付の図面に従って、本発明を実施するための最良の形態について説明する。なお、この実施の形態により本発明が限定されるものではない。
【００１８】
図１は、本発明の一実施の形態に係る差込フィルタホルダ１の図面である。なお、図１は、本発明の説明を簡単にするために簡略化されている。図１中のＯは光軸を表す。図２及び図３は差込フィルタホルダの図１中Ａに沿った断面図である。従って、図２及び図３では、光軸Ｏは図中下側位置し、図中上下方向は光軸に垂直な方向、図中左右方向は光軸と水平な方向となる。なお、図１から図３は左側が物体側、右側が撮像素子側となる。
【００１９】
差込フィルタホルダ１は、不図示の交換レンズ鏡筒に挿脱可能である。差込フィルタホルダ１は、交換レンズ鏡筒の外周面に沿った外観板１１を有し、外観板１１は、不図示の交換レンズ鏡筒のフィルタ差込口と一致する形状とすることで水密機能を有している。
【００２０】
フィルタホルダ本体１０は、凹部が形成されている。この凹部は、２つの光軸と垂直な面と１つの光軸と平行な面から構成され、操作リング２０を囲うように袋構造となっている。凹部を構成する光軸と垂直な面のうち１面は、連結ギア３０の軸部が貫通するための軸穴部が設けられている。また、天面は、外観板１１の開口部より操作リング２０の一部が差込フィルタホルダ１の外部に突出する突出部が設けられている。
【００２１】
フィルタホルダつまみ１２は、差込フィルタホルダ１を交換レンズ鏡筒に挿入した際、交換レンズ鏡筒から脱落を防止する切り欠きを操作するためのつまみである。フィルタホルダつまみ１２を回転させることで、不図示の切り欠きが連動して回転し、切欠き部が交換レンズ鏡筒と係合することで、差込フィルタホルダ１は交換レンズ鏡筒にロックされるので、脱落を防ぐことが可能であり、切欠き部と交換レンズ鏡筒との係合を解消することで差込フィルタホルダ１は交換レンズ鏡筒から抜き出すことが可能となる。
【００２２】
緩衝材１３ａと１３ｂは、防塵防滴機能を有した緩衝材である。緩衝材１３ａは、外観板１１とフィルタホルダ本体１０の間に配置され、緩衝材１３ｂは、差込フィルタホルダ１を交換レンズ鏡筒に差し込んだ際には、外観板１１と不図示の交換レンズ鏡筒の差込フィルタ差込口との間に配置され防塵防滴機能を発揮する。
【００２３】
フィルタホルダカバー１４は、フィルタホルダ本体１０の段差などを覆うことで見栄えを良くするためのものである。図面１では不図示である。
【００２４】
操作リング２０は、フィルタホルダ本体１０の形成する凹部に配置され、外観板１１に設けられる一部切り欠き部分より差込フィルタホルダ１の外部へ突出している。そのため、使用者が差込フィルタホルダ１外部から操作リング２０を回転させることが可能である。操作リング２０が回転操作されることで、フィルタに回転が伝達され、フィルタを回転調整することが可能である。また、図１に図示される操作リング２０の内側の円は、摺動端面である。摺動端面は、光軸と平行な方向に対して操作リングのどちらでもよく、摺動端面の形状は、ＩカットやＤカットなどの非円形状であることが好ましい。
【００２５】
連結ギア３０は、軸部に操作リング２０の軸部が嵌合されており、操作リング２０と軸部を共通とし、連結ギア３０と操作リング２０は一体として回転する。
【００２６】
Ｏリング３１は、フィルタホルダ本体１０と連結ギア３０の間に配置される。連結ギア３０は、操作リング２０と一体回転するので、連結ギア３０が回転するために連結ギア３０とフィルタホルダ本体１０の間にクリアランスが必要となる。従って、連結ギア３０とフィルタホルダ本体１０の光軸と垂直の面に設けられた軸穴部から水や埃の侵入をＯリング３１が防ぐ。
【００２７】
アイドルギア４０は、連結ギア３０からフィルタギア５０へ回転を伝達するものである。本実施例では、アイドルギア（図２、図３不図示）を用いたが、連結ギア３０からフィルタギア５０へ直接回転運動を伝達する構成としてもよい。
【００２８】
フィルタギア５０は、フィルタ環６０とねじ込みにて締結されている。連結ギア３０又はアイドルギア４０から伝達されてきた力によってフィルタ環６０、フィルタガラス６１、フィルタガラス押え６２、フィルタ環押え６３などを一体として回転させる。
【００２９】
フィルタ環６０は、フィルタガラス押え６２とねじ込みにて締結され、フィルタガラス６１を挟持する。
【００３０】
フィルタガラス６１は、被写体が反射する不要な光をカットするＰＬフィルタの機能を有したガラスである。
【００３１】
フィルタガラス押え６２は、フィルタ環６０とねじ込みにて締結され、フィルタガラス６１を挟持する。
【００３２】
フィルタ環押え６３は、フィルタ環６０とねじ込みにて締結され、フィルタホルダ本体１０を挟持する。
【００３３】
従って、フィルタ環６０にはフィルタギア５０とフィルタガラス押え６２が締結されており、そのフィルタ環６０はフィルタ環押え６３にてフィルタホルダ本体１０に取り付けられて一体となっている。よって、フィルタギア５０とフィルタ環６０とフィルタガラス６１とフィルタガラス押え６２は一体となって回転する。
【００３４】
以上のことから、使用者は操作リング２０を回転させることで、ＰＬフィルタを適切な回転角度にて設定することが可能となり、ＰＬフィルタの効果を得ることができる。
【００３５】
本願発明の実施例１は、本願発明の目的であるフィルタホルダ本体１内部への水や埃の侵入を減らすため、フィルタホルダ本体１０内部への外部からの導通経路を外観板１１に設けられた操作リング２０の突出部を通り、連結ギア３０の軸部を通すために凹部の光軸と垂直な面の一方に設けられた軸穴を通過する経路のみとしている。さらには、フィルタホルダ本体１０内部への水と埃の侵入を防止するために、前述の経路上に配置され可動する操作リング２０と連結ギア３０の２か所の周囲を防塵防滴の機能を有する構成とする必要がある。また、軸穴部を有さない凹部の光軸と垂直な面は、フィルタホルダ本体１０の外部と通じるような構成は有さないので、水や埃の侵入元となる恐れはない。
【００３６】
以上のことから、フィルタホルダ本体１０の構成する凹部の天面側は、外観板１１と緩衝材１３ａを配置する。また、連結ギア３０の軸部が貫通する部分においては、連結ギア３０の軸部とフィルタホルダ本体１０の摺動する箇所にＯリングを配置する。その結果、外観板１１と操作リング２０については、緩衝材１３ａによって、水と埃の侵入を防止し、使用者が操作リング２０を操作することで、フィルタホルダ１外部から侵入してきた水と埃については、連結ギア３０とフィルタホルダ本体１０の間に配置されているＯリング３１によってフィルタホルダ本体１０内部への水と埃の侵入を防止する。
【００３７】
また、本願発明では、フィルタホルダ本体１０の内部への水と埃の侵入経路を絞ることでＯリング３１の配置を１か所でありながら、防塵防滴の機能を実現する。
【００３８】
また、部品点数の増加を防ぐために、実施例１の操作リング２０と連結ギア３０は、ねじ込みや圧入などの方法で締結されることで間に部材が入ることなく直接締結されている。
【００３９】
さらに、差込フィルタホルダ本体１を交換レンズ鏡筒から外している時にフィルタギア５０を使用者が押えつつ、操作リング２０を操作した場合、操作リング２０と連結ギア３０の締結部に負荷がかかることで、操作リング２０と連結ギア３０の締結が十分でないと外れてしまうことが考えられる。従って、操作リング２０と連結ギア３０の締結を確実にする必要がある。そこで、組立の際、操作リング２０と連結ギア３０の締結時には治具を用いることで締結を確実に行う。
【００４０】
そこで、実施例１の操作リング２０の摺動端面のうち、フィルタホルダ本体１０の構成する凹部の光軸に対して垂直な面と接する操作リング２０の摺動端面は、Ｉカット形状である。操作リング２０の摺動端面をＩカットとすることで、治具にて押えた操作リング２０に連結ギア３０をねじ込むことで、操作リング２０と連結ギア３０とを確実に締結することが可能となる。また、操作リング２０の摺動端面の形状は、治具が固定できればよいのでＤカットやＩカットなど非円形状であることが好ましい。
【００４１】
次に実施例２について図３を用いて説明する。
【実施例２】
【００４２】
実施例１は、フィルタホルダ本体１０に凹部を形成し、凹部に配置された操作リング２０と連結ギア３０から構成されている。一方、実施例２は、凹部に配置された操作リング２０は、実施例１と同様であるが、連結ギア３０を連結ギア部３００と軸部３０１に分割する。そのため、フィルタホルダ本体１０の凹部の光軸に垂直な面は、片側は連結ギア部３００と軸部３０１が貫通し、対面はビス３０２が貫通し、ビス３０２は軸部３０１と係合する。
【００４３】
また、操作リング２０の連結ギア３００が嵌合する嵌合部は、非円形状とする。こうすることで、使用者が操作リング２０を操作すると連結ギア部３００は操作リング２０と一体回転する。その際、フィルタホルダ本体１０と連結ギア３００の接触部分は摺動（第１摺動部）する。また、軸部３０１はビス３０２によりフィルタホルダ本体１０の凹部の光軸に垂直な面に固定されるので、連結ギア部３００と軸部３０１との間は摺動（第２摺動部）する。
【００４４】
次に、前述の２か所の摺動部について説明する。
【００４５】
第１摺動部は、防塵防滴の機能を確保するために実施例１と同様Ｏリングを配置する。一方、第２摺動部は、連結ギア部３００と軸部３０１との間にグリスを塗布する。グリスを塗布することで、連結ギア部３００と軸部３０１の密接度合があがり、水や埃の侵入を防ぐことが可能となるとともに、使用者が操作リング２０を操作した際一体回転する連結ギア部３００と軸部３０１との摺動がスムーズになることで感触にも貢献する。
【００４６】
また、ビス３０２を設けることで、フィルタホルダ本体１０の凹部の光軸に垂直な面にビス穴が設けられるが、ビス３０２は軸部３０１と締結することでビス３０２とフィルタホルダ本体１０のビス穴とが密着され、防塵防滴の機能を有する。従って、Ｏリング３１をこの部分へ配置する必要がない。
【００４７】
実施例１は、操作リング２０と連結ギア３０の回転軸を一致させることが求められる。即ち、操作リング２０と連結ギア３０は、ねじ込みにて嵌合しているので操作リング２０と連結ギア３０ともに加工精度が求められる。加工精度が悪いために、操作リング２０と連結ギア３０の回転軸が一致していない場合、操作リング２０又は連結ギア３０のいずれかが偏心して回転することとなる。その結果、使用者が操作リング２０を回転させた際、感触の悪化となってしまう。
【００４８】
一方、実施例２では、実施例１の連結ギア３０の構成を連結ギア３００と軸部３０１と分割し、フィルタホルダ本体１０にビス穴を設ける構成とした。その結果、操作リング２０と連結ギア３００の嵌合部は、非円形状とすることで実施例１の操作リング２０と連結ギアのねじ込みと比較すると加工精度を求められないので、加工容易でありながら、確実に操作リング２０と連結ギア３００は一体回転する。
【００４９】
実施例２は、アイドルギア４０以降フィルタギア５０やフィルタ環６０などに関しては、実施例１と同様の構成とする。
【００５０】
また、本願実施例１と実施例２は、使用者が操作して操作リング２０→連結ギア部３０と伝達された駆動力を図１及び図２に不図示のアイドルギアを介することでフィルタギア５０へと駆動伝達する。しかし、連結ギア３０からアイドルギア４０を介さずに直接連結ギア３０の駆動をフィルタギア５０へ直接駆動を伝達することが可能である。
【符号の説明】
【００５１】
１        差込フィルタホルダ
１０      フィルタホルダ本体
１１      外観板
１２      フィルタホルダつまみ
１３ａ    緩衝材
１３ｂ    緩衝材
１４      フィルタホルダカバー
２０      操作リング
３０      連結ギア
３１      Ｏリング
３０１    軸部
３０２    ビス
４０      アイドルギア
５０      フィルタギア
６０      フィルタ環
６１      フィルタガラス
６２      フィルタガラス押え
６３      フィルタ環押え
【図１】
2018031956.tif 000003
【図２】
2018031956.tif 000004
【図３】
2018031956.tif 000005